【事件の表示】
　特許第３２６８８０６号「パチンコ機の入賞装置」の請求項１、２に係る特許に対する特許異議の申立てについて、次のとおり決定する。
【結　論】
　訂正を認める。
　特許第３２６８８０６号の請求項１ないし２に係る特許を維持する。
【理　由】
１．手続の経緯
　特許第３２６８８０６号の請求項１、２に係る発明についての出願は、平成３年１２月３０日に出願され、平成１４年１月１８日にその発明について特許の設定登録がなされ、その後、その特許について、異議申立人中西正幸により特許異議の申立てがなされ、取消理由通知がなされ、その指定期間内である平成１５年５月２７日に訂正請求がなされたものである。
　
２．訂正の適否についての判断
ア．訂正の内容
ａ．特許請求の範囲の請求項１を、
「【請求項１】飛入口を開設する取付基板と、該取付基板の背面に設けられ前記飛入口からの入賞球を受け入れる球集合室と、前記飛入口の左右両端に支軸を軸承させて前方に向け開放される扉と、該扉を開閉動する駆動手段とを備え、且つ内部に継続スイッチと計数スイッチを備えてなるパチンコ機の入賞装置において、
　前記扉には開放時に上面となる背面誘導面部
の中央部
２条の
所要の間隔をおいて
該縦突条の各外側面を傾斜面とする一方、
前記縦突条の外側面と対面する
ｂ．特許請求の範囲の請求項２を、
「【請求項２】前記扉の背面誘導面
部の
隆設される２条の縦突条は相互の間
形成すると共に、該各縦突条は両端の隆起部との間に通常通路を形成する
　
イ．訂正の目的の適否、新規事項の有無、及び拡張・変更の存否
　上記訂正事項ａは、請求項２及び明細書段落【００１９】の記載に基づいて、縦突条の本数、構造および配置箇所を特定したものであるから、特許請求の範囲の減縮を目的とした明細書の訂正に該当する。
　上記訂正事項ｂは、明細書段落【００１９】の記載に基づいて、２条の縦突条の間の通路及び背面誘導面部の両端の隆起部と縦突条の間の通路を特定したものであるから、特許請求の範囲の減縮を目的とした明細書の訂正に該当する。
　そして、上記訂正は、願書に添付した明細書または図面に記載された事項の範囲を越えるものとは認められないから、新規事項の追加に該当せず、また特許請求の範囲を実質的に拡張または変更するものではない。
　
ウ．むすび
　以上のとおりであるから、上記訂正は、特許法第１２０条の４第３項において準用する平成６年法律第１１６号による改正前の特許法第１２６条第１項ただし書き、第２項および第３項の規定に適合するので、当該訂正を認める。
　
３．特許異議の申立てについて
ア．申立ての理由の概要
　申立人中西正幸は、甲第１ないし４号証を提出し、請求項１、２に係る発明は、甲第１ないし４号証に記載の発明に基づいて当業者が容易に発明をすることができたものであるから、請求項１、２に係る発明の特許は、特許法第２９条第２項の規定に違反してされたものであり取り消すべきである旨主張している。
　　
イ．本件発明
　特許第３２６８８０６号の請求項１及び２に係る発明は、訂正明細書の特許請求の範囲の請求項１ないし２に記載された次のとおりものもと認める。
「【請求項１】飛入口を開設する取付基板と、該取付基板の背面に設けられ前記飛入口からの入賞球を受け入れる球集合室と、前記飛入口の左右両端に支軸を軸承させて前方に向け開放される扉と、該扉を開閉動する駆動手段とを備え、且つ内部に継続スイッチと計数スイッチを備えてなるパチンコ機の入賞装置において、
　前記扉には開放時に上面となる背面誘導面部
の中央部
２条の
所要の間隔をおいて
該縦突条の各外側面を傾斜面とする一方、
前記縦突条の外側面と対面する
【請求項２】前記扉の背面誘導面
部の
隆設される２条の縦突条は相互の
形成すると共に、該各縦突条は両端の隆起部との間に通常通路を形成する
　
ウ．引用刊行物に記載の発明
　当審が平成１５年３月１７日付けで通知した取消しの理由において引用した刊行物には、それぞれ次のとおりの発明が記載されている。
　
　刊行物１（実願昭６２ー８７８７３３号（実開昭６３ー１９５８８３号）のマイクロフィルム）（甲第１号証）には、
「可変入賞球装置１を遊技盤に固定するための取付基板２の上方部分には、開口部４が形成されている。この開口部４を閉塞または開放するための開閉板３６が、その下縁両端を取付基板２側に枢支されることによって取付基板２側に取付けられている。」（７頁５〜１０行）、
「なお、この開閉板３６は、ソレノイド７８（第５図参照）により開閉駆動されるように構成されている。」（７頁１３〜１５行）、
「そして、開口部４から入賞した打玉は、入賞球集合空間３の底部に設けられている入賞球誘導樋１０上に落下する。」（８頁４〜６行）、
「この入賞球出口１５には、入賞球検出器８４が装着されており、入賞球出口１５から落下した入賞玉が入賞球検出器８４を通過することにより、可変入賞球装置１内に入賞した入賞玉の個数を検出するように構成されている。」（８頁１０〜１４行）
「前記取付基板２はその上方部分を矩形に切欠き、開口部４が形成されている。この開口部の下縁両端には、軸受溝８ａ，８ｂ（８ｂは図面上見えない）が形成されており、開閉板３６の左右両端に設けられている回動支軸４４ａ，４４ｂが前記軸受溝８ａ，８ｂに枢支されることにより、開閉板３６は開閉自在に取付基板２側に取付けられるよう構成されている。」（１６頁１０〜１７行）、
「前記取付基板２の裏面側には、裏カバー板５０が取付けられるように構成されている。」（１９頁１４〜１５行）、
「また、開閉板３６の左右両端には、障害壁４０ａ，４０ｂおよび誘導突片４２ａ，４２ｂがそれぞれ設けられており、後述するように、開閉板３６の開成時に打玉が左右に設けられている入賞口１０４ａ，１０４ｂ（第７図参照）に入賞しやくするためのものである。」（１７頁１８行〜１８頁４行）、
「その裏カバー板５０には、特定入賞口入賞玉検出器取付挿通孔５６が切抜かれて形成されており、打玉の特定入賞を検出するための揺動部材６６が組付け状態で前面に突出するように構成されている。」（１９頁１５〜１９行）、
「前記揺動部材６６は、検出器本体６４に対して回動支軸７２により揺動自在に枢支され、その検出器本体６４を裏カバー板５０の背面側から取付けることにより、揺動部材６６下部の入賞玉衝突感知部６８が特定入賞口入賞玉検出器挿通孔５６から前方に突出するように構成されている。そして、落下してきた玉が入賞玉衝突感知部６８に衝突することにより、揺動部材６６が回動支軸７２を中心に揺動されるように構成されている。また、検出器本体６４上面には、上蓋７４により、検出基板７６が取付けられるよう構成されている。この検出基板７６には、発光ダイオ−ド（図示せず）とフォトセンサ（図示せず）がそれぞれ設けられており、発光ダイオードから発せられた光は揺動部材６６面に設けられている反射板７０に照射されるように構成されている。そして、この揺動板６６が入賞玉の衝突により揺動された場合に、反射板７０の角度が変化し、反射板７２からの反射光が前記フォトセンサで受光されるように構成されている。そしてこのフォトセンサの出力が接続配線９２ｃを介して配線側コネクタ９１ｃ，基板側コネクタ９０ｃを通し中継基板８８に伝達され、打玉の特定入賞が検出されるように構成されている。」（２１頁８行〜２２頁１１行）、
「なお、図中３８は入賞玉誘導突起であり、入賞玉を所定の方向に導く働きをするとともに、開閉板３６を補強するためのものである。」（２０頁１８行〜２１頁１行）、と記載されている。
　上記記載からみて、刊行物１には、「開口部４を開設する取付基板２と、該取付基板２の背面に設けられ前記開口部４からの入賞球を受け入れる球集合室と、前記開口部４の左右両端に支軸を軸承させて前方に向け開放される開閉板３６と、該開閉板３６を開閉動する駆動手段とを備え、且つ内部に継続スイッチと計数スイッチを備えてなるパチンコ機の入賞装置において、
　前記開閉板３６には開放時に上面となる背面誘導面部に後方の前記集合室に向けて入賞球を誘導する縦突条を隆設したパチンコ機の入賞装置。」が記載されているものと認める。
　
　刊行物２（実願平１ー６５６０９号（実開平３ー５４７６号）のマイクロフィルム）（甲第３号証）には、
「変動入賞装置５は、天入賞口７と可変表示装置４の間にて共通基板２７に入賞口となる開口部４０が形成され、開口部４０の下部前面に天入賞口７の鎧部２９とで流下してきた打球が開口部４０内に流入することを阻止する閉状態（第４図の実線で示す）と、左右に張り出して流下してきた打球を受けとめて開口部４０内に流入させる開状態（第４図の点線で示す）とに変換可能な一対の可動部材４１ａ、４１ｂが配設される。可動部材４１ａ、４１ｂは、左右対称にそれぞれ片側上部に三角状の突起部４２と、内側に所定深さの長溝４３と、後方に突出する延底部４４下部にラック４５とが形成され、可動部材４１ａ、４１ｂの長溝４３が開口部４０の下部に奥方に下り傾斜に形成した流下棚４６の前方突出部４７に嵌め合わされる。」（７頁１３〜８頁８行）、と記載されている。
　上記記載および図面の記載からみれば、可動部材の上面は、落下するパチンコ球の誘導面部であり、片側上部の三角状の突起部は、誘導面部の両端に内側面を傾斜面にする隆起部であるから、刊行物２には、誘導面部の両端に内側面を傾斜面にする隆起部を各形成してなる可動部材が記載されているものと認める。
　
　刊行物３（特開昭６４ー５５８２号公報）（甲第４号証）には、
「変動入賞装置１３は，第１０図に示すように取付基板１７の上方部に横長の球入口１８が形成され、下方部には飾りを兼ねた遊技球の通過ゲート１９が前面に突出して形成される。そして、球入口１８の前面には扉状の球受部材２０が前面側へ開閉自在に設けられる。球受部材２０は下辺両側が球入口１８の下側辺部に軸支されており、取付基板１７の裏面に固定されたソレノイド２１の駆動によって球入口１８を開成したり閉成したりする。」（２頁左下欄１９行〜右下欄７行）、と記載され、第１０図は、球受部材が開放状態にあるときの変動入賞装置を示し、球受部材２０の上面（誘導面部）の中央部に２本の突条、及び、該２本の突条間の通路が記載されている。
　
　刊行物４（特開平２ー１０２６８７号公報）には、
「まず、第３図を参照して、この実施例が適用される弾球遊技機の一例としてのパチンコ遊技機について説明する。・・・パチンコ遊技機１の額縁状の前面枠２には、」（２頁左下欄４〜８行）、
「入賞領域１１２は、遊技盤１２の表面に対して下端を軸にして開放自在な開閉板１１３によって覆われている。そして、可変入賞球装置１１０の開閉板１１３は、・・・開放するように設定され、・・・入賞領域１１２内に設けられた特定入賞領域１２０に入賞すると、再度上記した開放状態を繰り返し、特定入賞領域１２０に入賞玉が発生する毎に最高１０回繰り返すことができるようになっている。」（３頁左上欄７行〜右上欄１行）
「なお、可変入賞球装置１１０の裏側には、前記特定入賞領域１２０に打玉が入賞したことを検出するＶ入賞玉検出器１２２や、前記入賞領域１１２に入賞した入賞玉を計数するための１０カウント検出器１２３も設けられている。」（４頁左上欄７〜１２行）
「次に、第１Ａ図、・・・可変入賞球装置１１０は、前記遊技盤１２に取り付けられる取付基板１１１を有し、その取付基板１１１の上部に長方形状の入賞領域１１２が開設されている。この入賞領域１１２には、下端両サイドを軸支して、取付基板１１１に対して垂直方向に開閉自在とされる開閉板１１３によって塞がれている。この開閉板１１３は、前記したようにソレノイド１１４によって開閉制御され、開成中には、遊技領域１４を落下する打玉を受止めて入賞領域１１２に導き入賞玉とする。」（１０頁左上欄９〜２０行）
「一方、前記開閉板１１３の裏面には、第１Ｂ図に示すように一対の案内片１１９ａ、１１９ｂが突設されている。そして、この案内片１１９ａ，１１９ｂの後方の空間が３つに分割され、案内片１１９ａ，１１９ｂに対応する中央の空間が特定入賞領域１２０を構成し、左右の空間が通常入賞領域１２１ａ，１２１ｂを構成している。」（１０頁左下欄６〜１２行）、と記載されている。
　上記記載及び図面の記載からみて、刊行物４には、開閉板１１３（扉）の裏面（誘導面）に形成する案内片１１９ａ、１１９ｂ（縦突条）は該裏面（誘導面）の中央部に所要の間隔をおいて２条隆設し、該案内片（縦突条）の間に通路を設けることが記載されているものと認める。
　
　刊行物５（実願昭５６ー１０７５０７号（実開昭５８ー１３２８７号）のマイクロフィルム）には、
「１はパチンコ機のベニヤ板Ｘの前面に固着する取付板であつて、これに数個の打玉が並列形で入る横長の玉入口２を設け、その下部口縁に玉入口２を第１、４図のように起立によつて閉じたり、第３図のように前方への約８５°程度の前傾揺動によつて開いて取付板１の前面を流下する打玉を捕捉したりする開閉板３を軸１０によつて支持する。その開閉板３には軸１０より前側に突条４によつて並列形に区分された捕捉面ａ，ｂ，ｃを設け、中央の捕捉面ｂの軸より後側に玉受面ｂ’を形成してその後端にほぼ直角状に立上つた衝合壁５を形成し、さらに左右方向の端部には、軸１０より後方に突出して上後方に円弧形の滑り面７を設けその前端に直立状の係止縁８を設けた突片６を形成し、中央の捕捉面ｂの一側の突条４に接して低い後方傾斜をもつたロツク突部９を設ける。」（３頁９行〜４頁９行）、
「取付板１の後側にはベニヤ板Ｘの後側まで突出する周囲枠板１１を設け、開閉板３の捕捉面ａ、ｂ、ｃの各後側下部に区劃壁により区切られた玉落部ａ−１、ｂ−１、ｃ−１を設けてあり、夫等の後側に周囲枠板１１を切破つた流出口ａ−２、ｂ−２、ｃ−２を夫々形成してある。」（４頁１３行〜５頁３行）、と記載されている。
　
ウ．甲第２号証に記載の発明
　甲第２号証（特開平１ー２２７７７９号公報）には、
「第２図において、可変入賞球装置４０は、前記遊技盤６に取り付けられる取付基板４１を有し、該取付基板４１には、長方形状の開口４２が開設されている。」（４頁右上欄２０行〜左下欄３行）、
「また、取付基板４１の後面には、取付ボス４４ａ，４４ｂ、上部枠４５、軸受凹部４９ａ，４９ｂ及びスプリング取付ボス５０が突設されている。取付ボス４４ａ，４４ｂには、後述する裏面構成板７０が取り付けられる。」（４頁左下欄８〜１３行）、
「前記軸受凹部４９ａ，４９ｂは、前記開ロ４２の左右両側下部に形成され、後述する玉受部材５３の回転支軸５６ａ，５６ｂが軸支されるようになっている。」（４頁左下欄２０行〜右下欄３行）、
「また、玉受部材５３の両端には、案内側壁５５ａ，５５ｂが形成され、玉受部材５３の開閉動作がスムーズに行えるようになっている。」（４頁右下欄１８行〜５頁左上欄１行）、
「突出ボス５７は、後述する第２の作動部材１１５の作動突片１２２と当接して玉受部材５３を開放状態（第１の状態）から閉成状態（第２の状態）に変化させるものである。」（５頁左上欄１７行〜右上欄１行）、
「更に、玉受部材５３の後面の案内側壁５５ａ，５５ｂ寄りには、誘導突起５９ａ，５９ｂが形成され、玉受部材５３に入賞した打玉を誘導するようになっている。」（５頁右上第９〜１２行）、
「裏面構成板７０の前面側下方には、前記玉受部材５３によって誘導された入賞玉を導くための誘導面７１ａ〜７１ｃが突設されている。」（６頁左上欄９〜１２行）、
「そして、電気的駆動源であるソレノイド１１０が作動して第２の作動部材１１５が下方に摺動すると、第５図（ａ）に示すように係合部８８が切欠係合部１２１に押圧されるためストッパー解除部材８６が揺動して当接面部８７が重錘６５を持ち上げる。」（７頁左上欄７〜１３行）、
「そして、第１の作動部材９０は、打玉通路７６を通過する打玉によって揺動され、当接部９２が係合部材６６の当援部６６ａと当接して係合部材６６を回動させるので、第４図（ｃ）に示すように係合片６８と係合部５８との係合がはずれて、玉受部材５３を第２の状態から第１の状態に変化させる。」（７頁右上欄１４〜２０行）、
「更に、入賞玉誘導径路９６の末端には、入賞玉検出スイッチ９８が臨むように設けられ、前記玉受部材５３によって導かれたすべての入賞玉を検出し、その個数を前記ＬＥＤランプ４３ａで表示させている。」（７頁右下欄２〜６行）、と記載されている。
　上記記載からみて、甲第２号証には、「長方形状の開口４２を開設する取付基板４１と、該取付基板４１の背面に設けられ前記開口部４からの入賞球を受け入れる裏面構成板７０と、前記開口部４の左右両端に支軸を軸承させて前方に向け開放される玉受部材５３と、該玉受部材５３を開閉動する駆動手段とを備え、且つ内部に入賞玉検出スイッチ９８を備えてなるパチンコ機の入賞装置において、
　前記玉受部材５３には開放時に上面となる背面誘導面部に後方の前記集合室に向けて入賞球を誘導する誘導突起５９ａ，５９ｂを隆設したパチンコ機の入賞装置。」が記載されているものと認める。
　
エ．対比・判断
ａ．請求項１に係る発明について
　請求項１に係る発明と刊行物１に記載の発明を対比すると、刊行物１に記載の「開口部４」および「開閉板３６」は、請求項１に記載の「飛入口」及び「扉」に相当するから、
　両者は、「飛入口を開設する取付基板と、該取付基板の背面に設けられ前記飛入口からの入賞球を受け入れる球集合室と、前記飛入口の左右両端に支軸を軸承させて前方に向け開放される扉と、該扉を開閉動する駆動手段とを備え、且つ内部に継続スイッチと計数スイッチを備えてなるパチンコ機の入賞装置において、
　前記扉には開放時に上面となる背面誘導面部に後方の前記集合室に向けて入賞球を誘導する縦突条を隆設すると共に、前記背面誘導面部の両端に隆起部を各形成してなるパチンコ機の入賞装置。」である点で一致するが、下記の点で相違する。
（相違点）
　請求項１に係る発明では、「背面誘導面部の中央部に後方の前記集合室に向けて入賞球を誘導する２条の縦突条を所要の間隔をおいて隆設すると共に、該縦突条の各外側面を傾斜面とする一方、前記背面誘導面部の両端に前記縦突条の外側面と対面する内側面を傾斜面にする隆起部を各形成してなる」のに対し、刊行物１に記載の発明では、このような構成を具備していない点。
　
　上記相違点について検討すると、刊行物３〜５には、誘導面の中央部に所要の間隔をおいて２条の縦突条を隆設すること、刊行物２に、誘導面部の両端の隆起部の内側面を傾斜面にすることは各々記載されているが、請求項１に係る発明は、縦突条と隆起部との対向面を傾斜面とし、これら傾斜面の協働により、明細書段落【００３３】及び【００３５】に記載の効果を奏するものであって、刊行物３〜５には、縦突条の外側面を傾斜面とする記載も示唆もないし、刊行物２の誘導面部は水平に移動するもので、この誘導面に突条を設けるものではないから、請求項１に係る発明は、刊行物１ないし５に記載の発明に基づいて当業者が容易に発明をすることができたものとすることはできない。
　
ｂ．請求項２に係る発明について
　請求項２に係る発明は、請求項１に係る発明の構成要件を全て含み、さらに、その構成要件を限定または他の構成要件を付加したものに相当するから、上記請求項１に係る発明についての判断と同様の理由により、刊行物１ないし５に記載された発明に基づいて当業者が容易に発明をすることができたものとすることはできない。
　
　なお、甲第２号証には、「飛入口を開設する取付基板と、該取付基板の背面に設けられ前記飛入口からの入賞球を受け入れる球集合室と、前記飛入口の左右両端に支軸を軸承させて前方に向け開放される扉と、該扉を開閉動する駆動手段とを備え、且つ内部に計数スイッチを備えてなるパチンコ機の入賞装置において、
　前記扉には開放時に上面となる背面誘導面部に後方の前記集合室に向けて入賞球を誘導する縦突条を隆設すると共に、前記背面誘導面部の両端に隆起部を各形成してなるパチンコ機の入賞装置。」は記載されているが、上記ａで示した相違点に係る構成は記載されていないから、上記請求項１及び２での判断と同様の理由により、請求項１及び２に係る発明は、甲第２号証および刊行物１ないし５に記載の発明に基づいて当業者が容易に発明をすることができたものとすることはできない。
　
オ．むすび
　以上のとおりであるから、特許異議申立ての理由および証拠によっては、請求項１及び２に係る発明の特許を取り消すことはできない。
　また、他に請求項１及び２に係る発明の特許を取り消すべき理由を発見しない。
　したがって、請求項１及び２に係る発明についての特許は拒絶の査定をしなければならない特許出願に対してなされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年７月４日（２００３．７．４）
【訂正の要旨】
審決（決定）の【理由】欄参照。
（５４）【発明の名称】
パチンコ機の入賞装置
（５７）【特許請求の範囲】
　【請求項１】　飛入口を開設する取付基板と、該取付基板の背面に設けられ前記飛入口からの入賞球を受け入れる球集合室と、前記飛入口の左右両端に支軸を軸承させて前方に向け開放される扉と、該扉を開閉動する駆動手段とを備え、且つ内部に継続スイッチと計数スイッチを備えてなるパチンコ機の入賞装置において、
　前記扉には開放時に上面となる背面誘導面部
の中央部
２条の
所要の間隔をおいて
該縦突条の各外側面を傾斜面にする一方、
前記縦突条の外側面と対面する
　【請求項２】　前記扉の背面誘導面
部の
隆設される２条の縦突条は相互の
形成すると共に、該各縦突条は両端の隆起部との間に通常通路を形成する
【発明の詳細な説明】
　【０００１】
　【産業上の利用分野】
　本発明は、パチンコ機の遊技板に装備される入賞装置に関する。
　【０００２】
　【従来の技術】
　本発明は取付基板に開設する横長の飛入口に扉を備え、この扉を前方に向けて傾倒させることにより飛入口を開放し、同時に遊技板面に沿って落下する打球をこの扉に受けて飛入口に誘導し、入賞を容易にした所謂大入賞口と称されるアタッカー型入賞装置の改良に関するものである。
　【０００３】
　このアタッカー型の入賞装置は知られる様に取付基板に横長の飛入口を形成し、この飛入口の前部に両端を回動自由に軸承させた扉を備え、常時はこの扉で飛入口を塞ぎ打球の飛入を阻止する一方、開放時には前方に向けて水平状に転倒させ、遊技板面に沿って落下する打球をこの扉の背面、つまり打球の誘導面部に受けて飛入口に積極的に誘導し多数個の打球が短時間に飛入入賞するように構成されたものである。この入賞装置は一般に継続スイッチと、計数スイッチとを備え、計数スイッチにより飛入した入賞球数を計数し、設定した球数に達したとき扉を閉塞する一方、継続スイッチに入賞球が通過したとき、再度扉を開放するよう設定して連続的な開放状態が得られるように仕組まれている。
　【０００４】
　上記計数スイッチは一般に１０カウントスイッチと称され、１０個の入賞球の通過を計数したとき記憶装置の作動によって扉を閉塞指示し、飛入口を閉じるものとなっている。従って１個の入賞球に対して７個の賞球を放出するよう設定すると、１個の扉の開放により７０個の賞球の放出があることになるが、前記継続スイッチは閉じられる扉を再度開放するため備えられたスイッチで、上記１０個の入賞球のいずれかがこのスイッチを作動させると扉は再び開放して所定数の入賞球の飛入を可能にする。更にこの開放時に再度この継続スイッチが作動すると更に開放状態が継続されることになり、多量の賞球の放出が行われることになる。
　【０００５】
　この様なことから継続スイッチは入賞装置の内部にあって入賞球が通過しにくい位置に設置されることになるが、一般には横長に開設される飛入口の中央部に臨んで設置されることが多く、側方から扉上に落下してくる打球が簡単に到達しないようにしてある。
　【０００６】
　【発明が解決しようとする問題点】
　しかし、この大入賞型の入賞装置は飛入口を横幅広く形成することに加えて、打球を誘導する扉を備え、開放時には多数個の入賞球を短時間に受け入れる構造になることから、第１の問題点として飛入した入賞球同志が内部で衝合するなど円滑な流れが妨げられて滞留時間が長くなることである。これによって設定した数の入賞球の最後の球が飛入したのちこれが最終的にカウントされるまでの間に時間がかかり、その結果この間に継続して設定数外の入賞球が飛入しゲームの設定が乱されることにある。
　【０００７】
　また、この飛入球の滞留は扉上においてもあり、ことに左右側方から飛入した球が扉上で衝合し合ったり横に転がり移動して飛入口に速やかに転入せず、入賞球数の計数を遅延させ設定数を超過する問題があることである。
　【０００８】
　その一方、従来の入賞装置は扉背面の誘導面部が単なる平滑面であることから側方端部に打球が落下した場合中央部に移動することが極めてまれになり継続スイッチへの接近がなくなることから入賞装置のゲーム性が単調になる問題があった。
　【０００９】
　本発明はこの様な従来のアタッカー型入賞装置における問題点に鑑みこれを改善する目的で開発されたもので、その主たる目的は扉の背面、つまり誘導面部を通して装置内部に飛入される入賞球の流れを排出口方向に向けて整列させ、これによって球の流れを迅速化すると共に、装置内部における入賞球同志の衝合等相互の干渉を除いて球詰まり状態を解消し、計数の遅延を防止し、設定数を超えて飛入するのを有効に回避するようにしたパチンコ機の入賞装置を提供せんとするものである。
　【００１０】
　また、本発明は偏平な扉の誘導面部を改善し、これに落下する打球の流れを飛入口方向に誘導し迅速な転入を図る一方、扉の両端部に落下する打球を中央部に誘導し、継続スイッチに対する飛入率を上げ遊技性を向上させた入賞装置を提供せんとするものである。
　【００１１】
　【問題点を解決するための手段】
　上記目的を達成するために、本発明は飛入口を開設する取付基板と、該取付基板の背面に設けられ前記飛入口からの入賞球を受け入れる球集合室と、前記飛入口の左右両端に支軸を軸承させて前方に向け開放される扉と、該扉を開閉動する駆動手段とを備え、且つ内部に継続スイッチと計数スイッチを備えてなるパチンコ機の入賞装置において、
　前記扉には開放時に上面となる背面誘導面部に後方の前記集合室に向けて入賞球を誘導する縦突条を隆設すると共に、前記背面誘導面部の両端に隆起部を各形成してなることを特徴としたパチンコ機の入賞装置を提供することにある。
　【００１２】
　更に本発明を詳述すると、前記扉には開放時に上面となる背面誘導面部の後方の前記集合室に向けて入賞球を誘導する縦突条を隆設すると共に、前記背面誘導面部の両端には内側面を傾斜面にする隆起部を各形成してなることを特徴としたパチンコ機の入賞装置を提供することにある。
　【００１３】
　また、前記球集合室には整列室を連設し、該整列室に計数スイッチを設けると共に前記球集合室の中央部に継続スイッチを設けてなることを特徴とする。
　【００１４】
　そして、前記計数スイッチは、前記整列室の底部に開設する排出口に設け、また、前記球集合室は前記整列室と連絡口で接続されるとともに、該連絡口は横開口幅をパチンコ球の直径の２倍を超える広さにしていることを特徴とする。
　【００１５】
　【実施例】
　図１は本発明に係る入賞装置の右半を断面とした正面図で、図２は中央縦断正面図、図３は右半の一部を欠截した背面図、図４は扉を開放した状態の中央縦断側面図である。
　図面において、１は本入賞装置を遊技板（図示せず）に止着するための取付基板であり、２はこの取付基板の上部に横長の長方形状に開設した飛入口、３はこの飛入口に装着した扉で、４は飛入口２に連通させて取付基板の背面に沿って形成された球集合室、５は更にこの球集合室の後方にあって内部を室内部に連通させた整列室である。
　【００１６】
　前記飛入口２は現在関係法令の規定によって開口幅が９０ｍｍ以内とされていることにより、ここでは９０ｍｍの横幅をもった横長長方形状の透孔として形成してあり、その左右両端縁から前方に向けて小突片６を突きだしている。
　【００１７】
　扉３は上記飛入口２の内部に収まる横長の板として形成してあり、左右両端に突設する支軸７を飛入口の両側縁部に設ける軸受部８に軸承させることによって回動自由に支持されている。
　この扉は、図７に示したように背面の誘導面部３ａの中央部に２条の縦突条９，９を隆設し、特定通路１０を形成すると共に、その左右に通常通路１１を形成する。そして左右両端には内方に向けて傾斜面１２を形成する隆起部１３を各形成し通常通路１１の側部を劃している。
　【００１８】
　２条の縦突条９，９は略パチンコ球の直径の間隔をおいて突設してあり、相対向する内面は垂直面に形成して後方に向けて直線状をなす特定通路１０とし、その後端が後述する継続スイッチに臨むようにしてある。
　【００１９】
　２つの各通常通路１１は縦突条９と隆起部１３によって劃される一方、縦突条９の一面を傾斜面１４に形成してこの面と前記隆起部の傾斜面１２によって通路の底部を挟め、その実質的横幅をパチンコ球の直径に近似した幅としている。
　ここに形成される傾斜面１２及び１４は上述の様に通常通路１１の幅を挟め後方に向けて直線状に形成することの外、傾斜面１２は上方から落下する打球を内方に弾き、場合によっては縦突条９を越えて特定通路１０に誘導するためのものであり、傾斜面１４はこの様にして弾かれた打球や、通常通路１１内に側方から落下した球が同じく縦突条を越えて入るのを助けるために設けられている。
　【００２０】
　図中、１５は上記扉３を開閉作動する駆動手段たるソレノイドであり、１６はソレノイドのプランジャ１７の運動を扉に伝える摺動部材である。
　ソレノイド１５は取付金具１５ａを介して球集合室４の背面を塞ぐ後壁１８に固着される。そして摺動部材１６は断面コ字形に形成して上下両端にプランジャ１７の両端に備える鍔形の係合片１９を受ける嵌合部２０を設け、ソレノイド１５の前面部に添わせることによって両嵌合部２０に係合片１９を嵌合し組立られるようにしてある。
　【００２１】
　この摺動部材は、上記取付金具１５ａを介してソレノイド１５を後壁１８に固着したときこの両者の間に形成される空隙に収まり、前面部に設ける二又状の連動片２１を後壁１８に立て長に形成する切割２２を通して前方に突き出し前記扉３に設ける連動軸２３に滑合できるようにしてある。
　【００２２】
　ソレノイド１５は系外からの開放指令に基づき励磁するもので、常にはバネ２４によってプランジャ１７を下降状態におき、これに伴わせて摺動部材１６を下降させることになる。
　図６は上記摺動部材１６が下降状態にあるところを示しており、このとき連動片２１は最下降位置にあって連動軸２３を押下げ扉３を閉塞させることになる。
　【００２３】
　その一方、上記ソレノイド１５が外部からの信号を受けて励磁されると、バネ２４を圧縮してプランジャ１７を上昇させ、摺動部材１６を押上げることになる。このため連動片２１の上昇によって連動軸２３が跳ね上げられる結果、扉３は支軸７を支点に前方に傾倒し飛入口２を開放することになる。
　【００２４】
　図５はこのソレノイド１５の作動により扉が開放した状態を示している。このとき扉は連動軸２３を派生させる板部２５の一辺を球集合室４の上壁２６から垂設するストッパー２７に衝合させて開放を規制され、開放された背面、つまり誘導面部３ａを後下りに傾斜した状態に保持される。
　【００２５】
　球集合室４は飛入口２の開口幅より挟く、扉３の誘導面部３ａに形成される左右の通常通路１１，１１がそれぞれ臨む幅に形成してあり、部屋の左右は側壁２８によって劃し、底部は底板２９によって塞いである。
　この球集合室４は奥行き、つまり取付基板１と後壁１８との間がパチンコ球の１個が楽に収まる幅に形成してあり、飛入口２を通して入る球が全て受け入れられるようになっている。そして、左右の側壁２８は下端において内方に屈曲し、飛入球、つまり入賞球が中央部に集まるようにしてあり、更に底板２９は中央部２９ａが低くなるよう勾配が付されると共に、その中央部２９ａは後方に向けて下がり勾配となるよう傾斜が付けてある。
　【００２６】
　この球集合室４の後方に位置する整列室５は球集合室に不規則に飛入する多数の入賞球を１個づつ迅速に整列させるための部屋で、球集合室４の底部の背後に形成される。そして、この整列室は後壁１８を貫いて形成される連絡口３０を通して水平に球集合室と連通し、底板２９の上面に臨むようになっている。
　【００２７】
　上記連絡口３０はここではパチンコ球の直径を超える高さと、この直径の２倍を超える横幅をもって開設してあり、傾斜する底板中央部２９ａに集められた入賞球を後方に転がり移動させ整列室５に導き入れられるようにしてある。
　【００２８】
　整列室５は横並びのパチンコ球２個を同時に受け入れられる幅に形成してあり、底部３１には受け入れた球を排出する排出口３２が開設してある。底部３１は排出口３２に向けて傾斜が付けてあり、この排出口には計数スイッチ３３が取付れいある。
　【００２９】
　計数スイッチ３３は飛入口を通った全ての入賞球を計数するもので、本発明装置においては更に上記入賞球のうちのいずれかが通過する継続スイッチ３４が前記球集合室４の入口に装備してある。
　【００３０】
　継続スイッチ３４は扉３が開放することによって飛入した入賞球のいずれかが通過することにより再度扉の開放を約束する検出手段であって、この実施例では入口の中央部に設置され、前記扉の誘導面部３ａに形成される特定通路１０の後方に臨んで設けられる。
　尚、図中３５は照明用飾りで、３６はランプである。
　【００３１】
　本発明入賞装置は上述の様に構成されるもので、計数スイッチ３３は飛入口２を通して飛入した全ての入賞球を計数する手段となり、また継続スイッチ３４はこの入賞球のいずれかが通過したときこれを検出する手段となる。そして通常実施されている様にこれらスイッチは系外に設備する記憶装置に接続され、例えば計数スイッチ３３が１０個の入賞球をカウントしたときソレノイド１５を失磁させて扉３を閉塞させ、またこの入賞球のいずれかが継続スイッチ３４を通過して検出信号を送ったとき再びソレノイドを励磁して扉３を開放するよう設定される。その一方、ソレノイド１５は他の入賞装置に打球が飛入したときこれを原因に励磁して扉を開放するよう設定されることになる。
　【００３２】
　この様にしてなる本発明入賞装置において、扉３が開放されたとき、その背面の誘導面部３ａに落下した打球は先ず２条の縦突条９，９によって隔てられた通常通路１１と特定通路１０のいずれかに入りこの突条に誘導されて直線的に後方に転がり球集合室４に案内されることになる。そして、この転がりの途中においては突条によって横に移動することがないので他の球と干渉せず真直に流入することになる。
　【００３３】
　その一方、上記突条９によって通路が隔てられる反面、誘導面部３ａの両端の最も打球の落下率の高い部所に傾斜面１２が形成され、ここに落下した打球が内方に向けて弾かれるよう構成されていることから落下率の低い中央の特別通路１０に向けて打球が誘導されやすくなっており、更に前記縦突条には外側面に傾斜面１４が形成されていることから打球の落下時における横移動が期待できるものとなっており変化性に富んだ遊技が楽しめるようになっている。
　【００３４】
　かくして扉に受けられた打球は迅速な誘導によって球集合室４に導かれるが、ここに集められた球は底板２９上に落下したのち後方に向け開口する連絡口３０を通して整列室５に誘導され、更に排出口３２を通して速やかに系外に送り出されることになる。
　そして、このとき連絡口３０が水平方向に向けて開口していることから仮に多数の入賞球が同時に飛入し球集合室内に重なり状態で落下しても下の球が球圧を受けて移動を拘束されることなく横移動して速やかに整列室に移ることができる。そして更に本発明装置ではこの連絡口が球２個分を同時に通せる横幅に形成してあることから口際で球詰まりを超すことがなく速やかな通過を許し、整列室から計数スイッチ３３を備える排出口３２に誘導することができる。
　【００３５】
　【発明の効果】
　本発明は上述の様に構成され、入賞球の流れが円滑になっていることから、飛入口から排出口に至る入賞球の滞留時間が短く、従って実質飛入数と計数値を近似させられることからより正確な計数が出来、従来のように設定数より多くの入賞球の飛入を防止することができる。
　また、本発明は上記迅速な流れと共に打球の落下時点における誘導面部上の横移動が可能になっていることから、仮に通常通路内に打球が落下しても縦突条を越えて特定通路に移動し継続スイッチを通過する機会が発生するためゲームに変化を与えられる利点がある。
【図面の簡単な説明】
　【図１】
　右半を断面とした正面図。
　【図２】
　中央縦断正面図。
　【図３】
　左半の一部を欠截した背面図。
　【図４】
　扉を開放した状態の中央縦断右側面図。
　【図５】
　扉を開放した状態の一部欠截した右側面図。
　【図６】
　扉を閉塞した状態の一部欠截した右側面図。
　【図７】
　扉及び駆動手段たるソレノイドとの関係を説明する分解斜視図。
　【符号の説明】
　１　　　　　　　　取付基板
　２　　　　　　　　飛入口
　３　　　　　　　　扉
　３ａ　　　　　　　誘導面部
　４　　　　　　　　球集合室
　５　　　　　　　　整列室
　９　　　　　　　　縦突条
　１０　　　　　　　特定通路
　１１　　　　　　　通常通路
　１２，１４　　　　傾斜面
　１３　　　　　　　隆起部
　１５　　　　　　　ソレノイド
　１６　　　　　　　摺動部材
　２９　　　　　　　球集合室の底板
　２９ａ　　　　　　底板の中央部
　３０　　　　　　　連絡口
　３２　　　　　　　排出口
　３３　　　　　　　計数スイッチ
　３４　　　　　　　継続スイッチ